(57)【特許請求の範囲】
【請求項１】
横葺き屋根材の切り放し端部に横方向から差し込み、ケラバの化粧仕上げを行うようにしたケラバキャップであって、
このケラバキャップは、天板部と側板部とが断面横Ｌ字状に屈曲形成されたキャップ本体と、このキャップ本体に組み合わされる長杆状の差込片とを具えて成り、
前記キャップ本体における側板部には、その自由端側に差込片保持部を具え、
一方、差込片は、前記差込片保持部に嵌まる差込固定部と、差込片を差込片保持部に嵌め込んだ状態で、ケラバ下地における張り出し縁部の内側に当接する抜け止め当たり部とを具えることを特徴とする横葺き屋根用ケラバキャップ。
【請求項２】
前記キャップ本体は、天板部の自由端側に、横葺き屋根材における屋根面部の切り放し端部に外嵌めされる屋根面板つかみ部を設けたことを特徴とする請求項１記載の横葺き屋根用ケラバキャップ。
【請求項３】
前記キャップ本体における側板部は、その下端を内側に折り曲げ延長した下回り部を具えるとともに、この下回り部の自由端を更に上方に折り重ねるように形成して、その間を差込片保持部とするものであり、
一方、差込片は、差込固定部と抜け止め当たり部とが連続してアングル断面形状に形成されることを特徴とする請求項１または２記載の横葺き屋根用ケラバキャップ。
【請求項４】
前記請求項１から３のいずれか１項に記載されたケラバキャップを、ケラバ下地と、端部を切り放し状とした横葺き屋根材とが施工された屋根端部に適用し、
前記差込片における差込固定部を、キャップ本体の側板部における差込片保持部に差し込むとともに、差込片における抜け止め当たり部をケラバ下地の張り出し縁部に当接させてケラバキャップを固定するようにしたことを特徴とする横葺き屋根用ケラバキャップを用いた屋根構造。
【発明の詳細な説明】
【技術分野】
【０００１】
本発明は、屋根材の施工作業を簡易化することのできる横葺き屋根用ケラバキャップ並びにこれを用いた屋根構造に関するものである。
【背景技術】
【０００２】
例えば一般住宅の鋼板葺き屋根構造は、野地板といわれる木質系の下地材の上に、横葺き屋根材を敷き並べるとともに、ケラバと称される軒端部位を覆うような化粧仕上げをしている。
このような化粧仕上げの従来手法の一つとして、横葺き屋根材自体をその端部において下方に折り曲げるように板金加工し、化粧仕上げをする手法がある。しかしながら、この手法は、横葺き屋根材を葺いた後、現場において現物合わせで板金加工するものであり、現場での多大な労力を要するとともに、そもそもこのような加工技術を有する熟練作業者でなければ施工できない、という問題があった。
【０００３】
このようなことから、施工作業をより簡便化できる手法として横葺き屋根材とは別体のケラバキャップを用い、横葺き屋根材の端部を切り放し状に形成し、ここに被せるようにして化粧仕上げをする手法が普及している（例えば特許文献１参照）。
しかしながら、この手法であっても、ケラバキャップを下地材に釘打ちで留めたり、工具を用いて、ケラバ下地を構成する唐草の一部をつかみ込むように板金加工する作業が必要となるなど、施工作業が簡便化されたとはいえ、まだ充分ではなかった。
【先行技術文献】
【特許文献】
【０００４】
【特許文献１】特開平１１−３００１３号公報
【発明の概要】
【発明が解決しようとする課題】
【０００５】
本発明は、このような背景を認識してなされたものであって、極端に言えば工具・道具を必要とせずに施工できる横葺き屋根用ケラバキャップ並びにこれを用いた屋根構造の開発を技術課題としたものである。
【課題を解決するための手段】
【０００６】
すなわち請求項１記載の横葺き屋根用ケラバキャップは、
横葺き屋根材の切り放し端部に横方向から差し込み、ケラバの化粧仕上げを行うようにしたケラバキャップであって、
このケラバキャップは、天板部と側板部とが断面横Ｌ字状に屈曲形成されたキャップ本体と、このキャップ本体に組み合わされる長杆状の差込片とを具えて成り、
前記キャップ本体における側板部には、その自由端側に差込片保持部を具え、
一方、差込片は、前記差込片保持部に嵌まる差込固定部と、差込片を差込片保持部に嵌め込んだ状態で、ケラバ下地における張り出し縁部の内側に当接する抜け止め当たり部とを具えることを特徴として成るものである。
【０００７】
また請求項２記載の横葺き屋根用ケラバキャップは、前記請求項１記載の要件に加え、
前記キャップ本体は、天板部の自由端側に、横葺き屋根材における屋根面部の切り放し端部に外嵌めされる屋根面板つかみ部を設けたことを特徴として成るものである。
【０００８】
また請求項３記載の横葺き屋根用ケラバキャップは、前記請求項１または２記載の要件に加え、
前記キャップ本体における側板部は、その下端を内側に折り曲げ延長した下回り部を具えるとともに、この下回り部の自由端を更に上方に折り重ねるように形成して、その間を差込片保持部とするものであり、
一方、差込片は、差込固定部と抜け止め当たり部とが連続してアングル断面形状に形成されることを特徴として成るものである。
【０００９】
また請求項４記載の横葺き屋根用ケラバキャップを用いた屋根構造は、
前記請求項１から３のいずれか１項に記載されたケラバキャップを、ケラバ下地と、端部を切り放し状とした横葺き屋根材とが施工された屋根端部に適用し、
前記差込片における差込固定部を、キャップ本体の側板部における差込片保持部に差し込むとともに、差込片における抜け止め当たり部をケラバ下地の張り出し縁部に当接させてケラバキャップを固定するようにしたことを特徴として成るものである。
【発明の効果】
【００１０】
まず請求項１または４記載の発明によれば、ケラバの化粧仕上げにあたり、キャップ本体を横葺き屋根材の切り放し端部に横方向から差し込むようにするとともに、屋根の流れ方向に沿って差込片をキャップ本体における差込片保持部に挿入する作業だけでキャップ本体（ケラバキャップ）を横葺き屋根材に強固に取り付けることができ、作業性を格段に向上させることができる。
【００１１】
また請求項２または４記載の発明によれば、キャップ本体は、天板部の自由端側に屋根面板つかみ部を設けるため、この屋根面板つかみ部により横葺き屋根材の屋根面部を挟み込むようにして保持することができ、ケラバキャップを横葺き屋根材に対し、より強固に取り付けることができる。
【００１２】
また請求項３または４記載の発明によれば、キャップ本体並びに差込片の形状を極めてシンプルな形状で実現することができる。
【図面の簡単な説明】
【００１３】
【図１】本発明のケラバキャップ（横葺き屋根用ケラバキャップ）を用いた屋根構造の一例を、妻側から（側面から）骨格的に示す投影図（ａ）、並びに図（ａ）におけるＩ−Ｉ線断面図（ｂ）、並びにケラバキャップを横葺き屋根材に取り付ける様子を骨格的に示す斜視図（ｃ）である。
【図２】ケラバキャップを構成するキャップ本体と差込片とを一部破断した状態で示す分解斜視図（ａ）、並びにこれらを組み付けた状態で示す断面図（ｂ）である。
【図３】キャップ本体における差込片保持部と差込片との改変例を種々示す断面図である。
【図４】キャップ本体を横葺き屋根材に対し一つだけ嵌め込んだ状態でも（屋根の流れ方向に接続係止していなくても）、一つのキャップ本体自体で屋根の流れ方向の移動を阻止するようにしたキャップ本体の改変例を示す説明図であって、図（ａ）はキャップ本体の斜視図、図（ｂ）は図（ａ）におけるＩＶ方向から示す端面図、図（ｃ）は当該キャップ本体を横葺き屋根材に取り付ける様子を骨格的に示す斜視図である。
【図５】ケラバキャップの側板部の下端を、側板部とほぼ平行になるように上向きに折り曲げて上返し部を形成し、この二面部に挟まれた狭小空間（幅狭空間）を差込片保持部とし、またこれに合わせて差込片を細長い板状で形成するようにした改変例を示す断面図である。
【発明を実施するための形態】
【００１４】
本発明を実施するための形態は、以下の実施例に述べるものをその一つとするとともに、更にその技術思想内において改良し得る種々の手法を含むものである。
【実施例】
【００１５】
以下、本発明の横葺き屋根用ケラバキャップ１（以下、単に「ケラバキャップ１」と略記する）と、これを用いた屋根構造Ｃについて具体的に説明する。
屋根構造Ｃの基本は、一例として図１（ａ）・（ｂ）に示すように、下地木構造２に対し、その屋根端部のケラバに、ケラバ下地３を設けるとともに、屋根全体に横葺き屋根材４を葺くようにしたものである。以下、ケラバキャップ１の説明に先立ち、この屋根構造Ｃの基本となる下地木構造２、ケラバ下地３、横葺き屋根材４について説明する。
【００１６】
まず下地木構造２は、適宜の横架材（棟木や桁など）に支持されている流れ方向（屋根の流れ方向）に沿った複数の垂木２１を支持材として、その上に平滑な野地板２２を設け、更にこの野地板２２の全面に防水用のシート（いわゆるアスファルトルーフィング）が貼設される。
また、屋根の側縁部にあたるケラバには、妻板状の破風板２３が設けられる。そして、この破風板２３を覆うように唐草と称されるケラバ下地３が設けられるものであって、このケラバ下地３は、一例として上記図１（ｂ）に示すように、適宜の雨仕舞いをするため屋根面に沿って形成される下地天板３１と、屋根端部の外方に張り出すとともに下向きに屈曲状に形成される張り出し縁部３２と、前記破風板２３に沿うように下垂状に形成される破風覆部３３とを具える。
【００１７】
また、横葺き屋根材４は、一例として図１（ｃ）に示すように、このものの主要部である屋根面部４１が、いわゆる働き幅（重ね合わせ代を除いた有効幅）を構成するものであり、更にその前端側（軒側）に前厚み板４２がほぼ９０度屈曲するように形成され、更にこの前厚み板４２の下端から、ほぼ９０度棟側に屈曲するように前係合部４３が形成される。ここで本実施例では、上記屋根面部４１から前厚み板４２を経て前係合部４３に至るまでの形状が、一枚の板をほぼ９０度ずつ屈曲状に折り曲げた状態に形成されているが、上記形状は、三面が全体的に滑らかな丸みを帯びるように、または各屈曲部がＲ面状を成すように曲げ形成されても構わない。
また、屋根面部４１の流れ方向上流側（棟側）には後係合部４４が構成され、これに連続して後延長部４５が形成される。この後係合部４４と後延長部４５は、言わば次の流れ方向上流側（棟側）の横葺き屋根材４を葺く際の重なり合い部となる。すなわち横葺き屋根材４を棟側に向けて葺いて行く際には、図１（ｃ）に示すように、既に施工された軒側の横葺き屋根材４の後係合部４４に、これから施工する棟側の横葺き屋根材４の前厚み板４２や前係合部４３を上から係合させながら、野地板２２に留め付けて行くものである。
このような屋根構造Ｃのケラバに対し、本発明のケラバキャップ１が適用されるものであり、以下このケラバキャップ１について具体的に説明する。
【００１８】
ケラバキャップ１は、一例として図１（ｃ）・図２に示すように、キャップ本体１０と差込片１１の二部材により構成される。
キャップ本体１０は、天板部１２とここからほぼ９０度屈曲して下方に向かう側板部１３とが、断面横Ｌ字状に屈曲形成されている。なお、本実施例では側板部１３は、軒側の厚み寸法（高さ寸法）が棟側よりも大きくなるように、つまり側板部１３自体が等脚台形状を成すように形成されている。またキャップ本体１０を形成するにあたり（例えば上記天板部１２と側板部１３との屈曲形成）、複数の構成部材を適宜板金接続したり、はんだ付けによる接合等で形成することが可能であるが、製造工程等を考慮すると単一（一枚）の金属板状部材から板金加工して形成することが好ましい。もちろん、キャップ本体１０の素材についても、このような金属素材に限らず、合成樹脂等を適用しても構わない。
【００１９】
また、キャップ本体１０の天板部１２は、側板部１３と反対側の自由端側に屋根面板つかみ部１４を具えるものであり、取り付け時には、ここで横葺き屋根材４の切り放し端部をくわえ込むように保持する。そして、この屋根面板つかみ部１４は、天板部１２の自由端側を二重に折り畳むように形成されて成る。すなわち、屋根面板つかみ部１４は、天板部１２の自由端側から折り返され天板部１２の直ぐ下に位置する上つかみ部１４ａと、当該上つかみ部１４ａの端部からこのものに沿うようにして折り返された下つかみ部１４ａとの間に形成される空間を屋根面板つかみ部１４とし、ここで横葺き屋根材４の切り放し端部を外嵌め状態に挟み込むようにして保持する。
なお、天板部１２の上端（棟側端部）から下端（軒側端部）までの長さは、横葺き屋根材４の働き幅とほぼ同じ長さ寸法に形成され、キャップ本体１０を、横葺き屋根材４の切り放し端部に嵌め込んだ際に、天板部１２の上端（棟側端部）が、横葺き屋根材４の後係合部４４の下方に収まる（重なる）ように形成される（図１（ｃ）参照）。
【００２０】
一方、側板部１３には、その自由端側にキャップ本体１０を横葺き屋根材４の切り放し端部に嵌め込んだ後に、上記差込片１１が挿入される差込片保持部１５が形成される。すなわち、差込片保持部１５は、側板部１３の下端縁から更にほぼ９０度内側に折り曲げ延長させ、天板部１２にほぼ平行な下回り部１５ａを形成するとともに、更にこの下回り部１５ａの端部からこのものの上側に沿って面合わせ状に折り重ねるようにした上返し部１５ｂを形成し、その間（空隙）を上記差込片保持部１５とする。
なお、前記側板部１３の内側空間には、前記ケラバ下地３の張り出し縁部３２が収められるため、ここを下地受入部１６とする。因みに、差込片保持部１５に挿入される差込片１１（後述する抜け止め当たり部１１ｂ）は、下地受入部１６に収められた張り出し縁部３２の更に内側において、このものに当接するように挿入される。
【００２１】
更にキャップ本体１０は、軒側の端面に、天板部１２からほぼ９０度折り曲げるように形成された前化粧板１７を設けるとともに、この前化粧板１７の下端縁は、更に流れ方向上流側（棟側）に、ほぼ９０度折り曲げて巻込部１８を形成する。また、天板部１２の棟側端縁には、その一部を天板部１２に沿わせるように折り返して成る接続係止部１９が形成される。
【００２２】
一方、前記差込片１１は、一例として図２（ａ）に示すように、差込固定部１１ａと抜け止め当たり部１１ｂとによってアングル状断面を成す長杆状部材として形成される。そして、この差込片１１は、一例として図２（ｂ）に示すように、キャップ本体１０の差込片保持部１５に挿入された状態で、差込固定部１１ａが下回り部１５ａと上返し部１５ｂとの間に挟まれる（収められる）とともに、抜け止め当たり部１１ｂが上返し部１５ｂの先端と、ケラバ下地３の張り出し縁部３２との間に収められる。
なお、差込片１１における差込固定部１１ａの棟側端部には、一例として図２（ａ）に示すように、折り返し状のストッパー１１ｃが形成され、このストッパー１１ｃにより差込片保持部１５への挿入が止まり、差込片１１の抜け落ちを防止するものである。因みに、この折り返し状のストッパー１１ｃは、差込片１１を差込片保持部１５に挿入する際の操作端にもなる。
【００２３】
本発明のケラバキャップ１は、以上述べたような形状をその一例とするものであり、その各部位は、例えば図２に示すような、一例として一枚の金属素材から適宜板金加工により、最終形状に加工される。
以下、このようなケラバキャップ１によるケラバの施工作業並びに施工を完了した屋根構造Ｃについて以下説明する。
【００２４】
（１）キャップ本体の嵌め込み
まずケラバの化粧仕上げを行うにあたり、事前に下地木構造２上にケラバ下地３と横葺き屋根材４とが設けられている状態を始発状態とする。このような状態で、まずキャップ本体１０が、図１（ｃ）に示すように、横葺き屋根材４の切り放し端部側から差し込まれる。次いで、この差し込みを終えたキャップ本体１０の差込片保持部１５に差込片１１を差し込んで、一つのケラバキャップ１の取り付けが終了するものであり、後はこれを順次、軒側から棟側、すなわち流れ方向下流側から流れ方向上流側に繰り返して行く。
【００２５】
ここで個々のキャップ本体１０を横葺き屋根材４に差し込むにはあたっては以下のような位置関係とする。
まずキャップ本体１０の軒側端部では、横葺き屋根材４の前厚み板４２を、キャップ本体１０の前化粧板１７で包む込む、もしくは覆い被せるように密着させる。
また横葺き屋根材４の切り放し端部については、キャップ本体１０の屋根面板つかみ部１４で横葺き屋根材４の切り放し端部をくわえ込むようにしてキャップ本体１０を嵌め込むものである。すなわち、上つかみ部１４ａと下つかみ部１４ｂとの間に横葺き屋根材４の切り放し端部を入れ込むようにする。
なお、軒側から棟側への上下方向に連なるキャップ本体１０間では、既に嵌め込みを終えた軒側のキャップ本体１０の接続係止片１９に、棟側のキャップ本体１０の巻込部１８を差し込む（係止させる）ようにしてキャップ本体１０を取り付けて行くものである。
【００２６】
また、本実施例では、一例として図１（ｂ）・図２（ａ）に示すように、差込片保持部１５の下回り部１５ａから上返し部１５ｂが断面Ｖ字の折り返し状に形成されているため、キャップ本体１０を横葺き屋根材４の側方から嵌め込むにあたり、この断面Ｖ字の折り返し（差込片保持部１５）がケラバ下地３の張り出し縁部３２の下端にほぼ接触しながらも張り出し縁部３２の内側まで無理なく差し込むことが可能である（図２（ｂ）参照）。なお、差込片保持部１５が、上記のような返し状に形成されているため、嵌め込んだ後は、上返し部１５ｂの先端が張り出し縁部３２に当接して抜け止め効果が期待できる。
【００２７】
（２）差込片の挿入（差し込み）
このようにしてキャップ本体１０を横葺き屋根材４の切り放し端部に嵌め込んだ後、今度は図１（ｃ）に示すように、棟側から差込片保持部１５に差込片１１を差し込む。この差し込みは、差込固定部１１ａを下回り部１５ａと上返し部１５ｂとの間に嵌め込むように行うものであり、このようにしたときには差込片１１の抜け止め当たり部１１ｂが、前記ケラバ下地３の張り出し縁部３２の内側に当接するような状態で差し込みが成される（図２（ｂ）参照）。
なお、本実施例では、差込片１１を差込片保持部１５に差し込むにあたり、差込固定部１１ａの棟側端縁に折り返し状のストッパー１１ｃが形成されているため、これが差込片１１の差込片保持部１５からの抜け落ち防止作用を担うものである。
【００２８】
（３）キャップ本体と差込片の組み合わせ効果
このようにして差込片１１の差し込みが完了すると、あたかもキャップ本体１０に対し、差込片１１が固定され一体化したような状態となる。すなわち一例として図２（ｂ）に示すように、差込片１１の抜け止め当たり部１１ｂが、ケラバ下地３の張り出し縁部３２の内側に当接し、これを押さえるように作用するため、結果的にケラバキャップ１の側方への抜け出しが阻止される。
一方、天板部１２の自由端側では、屋根面板つかみ部１４が作用して、ケラバキャップ１の取り付けを更に確実なものとしている。もちろん軒側から棟側への上下方向では、上述したように、当該方向に連なるキャップ本体１０間で、軒側のキャップ本体１０の接続係止片１９に、棟側のキャップ本体１０の巻込部１８が係止するため、この係止によってもケラバキャップ１の取り付けが、より一層強化される。
【００２９】
〔他の実施例〕
本発明のケラバキャップ１並びに屋根構造Ｃは、以上述べたような構成を代表的な実施例とするものであるが、例えばキャップ本体１０や差込片１１の形状は、以下の図３（ａ）〜（ｄ）に示すように、適宜、改変することが可能である。すなわち、ケラバの化粧仕上げを行うにあたり、キャップ本体１０や差込片１１は、ケラバキャップ１を切り放し状の横葺き屋根材４やケラバ下地３に強固に固定することができればよく、種々の改変が可能である。具体的には、例えば図３（ａ）に示すように、キャップ本体１０における差込片保持部１５を下回り部１５ａから下方に沿わせるように折り返して下返し部１５ｃとする一方、差込片１１は抜け止め当たり部１１ｂの下端から偏平な「の」の字状断面に形成して、差込片１１を差込片保持部１５に嵌め込んだ際には、前記下返し部１５ｃを巻き込む（くわえ込む）ように構成することが可能である。
【００３０】
また、差込片保持部１５は、必ずしもほぼ水平状に形成する必要はなく、例えば図３（ｂ）に示すように、幾分斜め方向に形成することも可能である。この場合、差込片１１についても当然、差込片保持部１５に応じた形状に形成され、例えばここでは差込片１１は抜け止め当たり部１１ｂの下端から「く」の字状断面に形成される。
また、差込片保持部１５は、例えば図３（ｃ）に示すように、下方に向けて形成することも可能である。
更に、図３（ｄ）に示す改変例は、差込片保持部１５を側板部１３を利用して形成し、側板部１３の端部を内側上方に折り返して、差込片保持部１５を形成し、ここに偏平なジグザグ断面の差込片１１を差し込むようにした改変例である。
【００３１】
また、先に述べた基本の実施例では、例えば上記図２（ａ）に示すように、屋根面板つかみ部１４の軒側端部は、前化粧板１７（内側）との間に大きな間隔をあけて形成しており（屋根面板つかみ部１４の軒側端部を、前化粧板１７の内側に到達させないようにしており）、これにより横葺き屋根材４への差し込みを行い易くしていた（差し込み性向上）。
しかしながら、この場合には、例えばキャップ本体１０を一つだけ横葺き屋根材４に差し込んだ状態では、次の棟側のキャップ本体１０を施工するまで、接続係止部１９同士が未係止となるため、キャップ本体１０が流れ方向（軒側）に移動してしまうことがあった。逆に言えば、このために基本の実施例では、接続係止片１９を構成しており、これにより流れ方向に葺かれるキャップ本体１０同士を係止し、キャップ本体１０の流れ方向の移動を阻止していた。
このように基本の実施例では、キャップ本体１０を一つだけ横葺き屋根材４に差し込んだ状態では、当該キャップ本体１０が屋根の流れ方向に移動してしまう可能性があり、これをキャップ本体１０単独で防止できるようにしたのが図４に示す改変例である。
【００３２】
すなわち、図４は、キャップ本体１０を横葺き屋根材４の横方向から差し込んだら、そのキャップ本体１０だけで屋根の流れ方向に移動しないようにした形態である。
そのため図４の改変例では、まず屋根面板つかみ部１４の軒側を、ほぼ前化粧板１７の内側付近まで延長するものであり（実際には、横葺き屋根材４の板厚み程度の間隙を設けて延長）、これはキャップ本体１０を横葺き屋根材４に差し込んだ際には、前化粧板１７の内側と、屋根面板つかみ部１４の端軒側端部との間に、横葺き屋根材４の前厚み板４２が収まるためである。
また、キャップ本体１０単体で流れ方向の移動を阻止するため、接続係止部１９は排除した。
【００３３】
更に、基本の実施例では、上記図２に示すように、天板部１２の棟側端部は、接続係止部１９の側方（横葺き屋根材４への差し込み側）がカットされていたが、ここにも天板部１２から連続的に形成される部位を設ける（これを下押さえ部１２ｂとする）。なお、この下押さえ部１２ｂは、図４（ａ）・（ｃ）に示すように、天板部１２に対して切り込み１２ａを入れて設けられており、キャップ本体１０を横葺き屋根材４に差し込んだ際には、当該下押さえ部１２ｂを、横葺き屋根材４の裏側（下方）に潜り込ませ、裏側から横葺き屋根材４を押さえるようにしている。
なお、下押さえ部１２ｂは上記のように天板部１２から連続状に形成されるものの、差し込み時には横葺き屋根材４の裏側に潜り込ませる部位であるため、下つかみ部１４ｂとほぼ同じ高さ（野地板２２からの高さ）になるように曲げ形成されることが好ましく、このための段差が、下押さえ部１２ｂと天板部１２との間に形成される（屋根面板つかみ部１４の折り返し線のほぼ延長線上に形成）。なお、図４（ｂ）では、下押さえ部１２ｂを明確に示すべく、下つかみ部１４ｂよりも低い高さ位置（野地板２２からの高さ）で図示している。
【００３４】
そして、上記のような差し込み態様を採るため、下押さえ部１２ｂの下側には、下つかみ部１４ｂを形成しないものである。
また、下つかみ部１４ｂの軒側端部（差し込み側）には、面取り状の角落とし１４ｃが施されており、これは主にキャップ本体１０を横葺き屋根材４に差し込み易くするための構造である。もちろん、鋭角な部位をなくすことで、作業者（屋根葺き職人）が施工時に怪我等をしないようにする効果も奏する。
【００３５】
以下、上記構造のキャップ本体１０単体によって、屋根の流れ方向の移動が阻止される経緯について説明する。
まずキャップ本体１０の軒側への移動は、屋根面板つかみ部１４の軒側端部が、横葺き屋根材４の前厚み板４２の内側に当接することで阻止される。
一方、キャップ本体１０の棟側への移動は、前化粧板１７の内側が、横葺き屋根材４の前厚み板４２の外面に当接することで阻止される。
【００３６】
そして、キャップ本体１０単体で流れ方向の移動が阻止できるため、まず屋根の全面に横葺き屋根材４を施工してから、軒側から棟側に向けて順次、ケラバキャップ１（キャップ本体１０）を差し込んで行く施工が行え（言わばケラバキャップ１を連続して施工して行く作業）、ケラバキャップ１の施工においても作業性がよくなるものである。因みに、基本の実施例の場合には、最も軒側寄りの横葺き屋根材４を同じ高さで施工した後、その高さのケラバキャップ１（キャップ本体１０）だけを差し込み、次いで軒側から２段目の高さの横葺き屋根材４を施工し、その高さのケラバキャップ１（キャップ本体１０）を差し込んで行く作業になることがあり（言わばケラバキャップ１を間欠的に施工して行く作業）、上記連続施工に比べると、作業性が幾分、劣るものであった。
また、基本の実施例に対し屋根面板つかみ部１４の軒側端部が前厚み板４２の内側付近まで延長形成されること、且つ下押さえ部１２ｂが形成されること等で、屋根（横葺き屋根材４に対し、水の侵入の懸念がほとんどなくなり、雨仕舞いの強化が達成できるものである。
【００３７】
更にまた、先に述べた基本の実施例では、差込片保持部１５を形成するにあたり、キャップ本体１０の側板部１３の下端を、ここからほぼ９０度内側に屈曲させて下回り部１５ａを形成し、側板部１３と下回り部１５ａとによって形成される内側空間を差込片保持部１５としていた。しかしながら、差込片保持部１５を形成するにあたっては、必ずしも側板部１３の下端をほぼ９０度内側に屈曲形成する必要はなく、例えば図５に示すように、側板部１３の下端を、側板部１３とほぼ平行になるように上向きに折り曲げて上返し部１５ｂを形成し、側板部１３と上返し部１５ｂとの間に形成される狭小空間（幅狭空間）を差込片保持部１５とすることも可能である。
この場合、上返し部１５ｂは、側板部１３に対し極めて接近した状態に形成され、側板部１３と上返し部１５ｂとの間（上記下回り部１５ａに相当）の寸法も極めて小さくなる。
このため差込片保持部１５に嵌め込む差込片１１についても、上記図５に併せ示すように、アングル断面形状ではなく、単なる細長い板状体で形成することができ、差込片１１の下側、つまり差込片保持部１５に嵌め込まれる部位が差込固定部１１ａとなる。また、差込片１１の上側、つまり差し込み状態でケラバ下地３の張り出し縁部３２の内側に当接し、キャップ本体１０の抜け止め作用を担う部位が、抜け止め当たり部１１ｂとなる。
【符号の説明】
【００３８】
Ｃ      屋根構造
１      ケラバキャップ
１０    キャップ本体
１１    差込片
１１ａ  差込固定部
１１ｂ  抜け止め当たり部
１１ｃ  ストッパー
１２    天板部
１２ａ  切り込み
１２ｂ  下押さえ部
１３    側板部
１４    屋根面板つかみ部
１４ａ  上つかみ部
１４ｂ  下つかみ部
１４ｃ  角落とし
１５    差込片保持部
１５ａ  下回り部
１５ｂ  上返し部
１５ｃ  下返し部
１６    下地受入部
１７    前化粧板
１８    巻込部
１９    接続係止部
２      下地木構造
２１    垂木
２２    野地板
２３    破風板
３      ケラバ下地（唐草）
３１    下地天板
３２    張り出し縁部
３３    破風覆部
４      横葺き屋根材
４１    屋根面部
４２    前厚み板
４３    前係合部
４４    後係合部
４５    後延長部
【図１】
0006291456.tif 000002
【図２】
0006291456.tif 000003
【図３】
0006291456.tif 000004
【図４】
0006291456.tif 000005
【図５】
0006291456.tif 000006